(57)【要約】【課題】  作業者の負担が小さく、簡便な伝送器システムを提供する。また、伝送器システムのＣｏｎｆｉｇ状態の正確な把握が可能となる伝送器システムを提供する。【解決手段】  物理量を計測し伝送する伝送器と伝送器の外部に接続されたサポートツールとの間で伝送器内の演算に係る伝送器パラメータをアップロード及びダウンロードする伝送器システムにおいて、前記サポートツールは、前記伝送器パラメータの属性を表示するＣｏｎｆｉｇ状態表示器を備えることを特徴とする伝送器システム。【選択図】                    図１
2006185077.tif 000002
【特許請求の範囲】
【請求項１】
物理量を計測し伝送する伝送器と伝送器の外部に接続されたサポートツールとの間で伝送器内の演算に係る伝送器パラメータをアップロード及びダウンロードする伝送器システムにおいて、
前記サポートツールは、前記伝送器パラメータの属性を表示するＣｏｎｆｉｇ状態表示器を備えることを特徴とする伝送器システム。
【請求項２】
前記サポートツールは、
前記伝送器パラメータの設定に係るコマンドの履歴を格納するコマンド状態バッファと、
前記コマンド状態バッファの値の変化に基づいて定まるパラメータ設定タイプフラグと
を備えることを特徴とする請求項１記載の伝送器システム。
【請求項３】
前記Ｃｏｎｆｉｇ状態表示器は、前記コマンドと前記流量パラメータ設定タイプフラグとに基づいて点灯／消灯することを特徴とする請求項２記載の伝送器システム。
【請求項４】
前記Ｃｏｎｆｉｇ状態表示器は、前記伝送器パラメータが前記サポートツールに入力されたユーザデータに基づくものか、或いは、前記伝送器パラメータが前記伝送器からのアップロードに基づくものかを区別して表示することを特徴とする請求項１から請求項３の何れかに記載の伝送器システム。
【請求項５】
前記Ｃｏｎｆｉｇ状態表示器は、
前記ユーザデータの設定の完了を表示するユーザデータ表示ウインドウと、
前記伝送器パラメータの設定の完了を表示する伝送器パラメータウインドウと、
前記ダウンロードの操作の完了を表示するダウンロード状態ウインドウと、
前記伝送器の設定の完了を表示する伝送器ウインドウと、
前記アップロードの操作の完了を表示するアップロード状態ウインドウと
を備えることを特徴とする請求項４記載の伝送器システム。
【発明の詳細な説明】
【技術分野】
【０００１】
本発明は、物理量を計測し伝送する伝送器システムに関し、特に、プロセスの複数の物理量に関連する変数を入力し、これらの変数の演算する多変数伝送器（マルチバリアブル質量流量伝送器）システムに関する。
【背景技術】
【０００２】
従来の伝送器システムの一例である多変数伝送器は、作業者（ユーザ）の負担が大きいものもあった（例えば、特許文献１参照。）。
【０００３】
このような伝送器システムを図４に基づいて説明する（特許文献１参照）。図４は、一般的な多変数伝送器システムの一実施例を示す構成図である。
【０００４】
差圧センサ１はプロセスの差圧を検出してアナログ電気信号に変換し、アナログ／ディジタル（Ａ／Ｄ）コンバータ４はこのアナログ電気信号をディジタル信号ｅｄに変換する。また、圧力センサ２はプロセスの圧力を検出してアナログ電気信号に変換し、アナログ／ディジタル（Ａ／Ｄ）コンバータ５はこのアナログ電気信号をディジタル信号ｅｐに変換する。さらに、温度センサ３はプロセスの温度を検出してアナログ電気信号に変換し、アナログ／ディジタル（Ａ／Ｄ）コンバータ６はこのアナログ電気信号をディジタル信号ｅｔに変換する。
【０００５】
また、演算処理手段７は、マイクロプロセッサ（ＭＰＵ）を備え、差圧に係るディジタル信号ｐｄ、圧力に係るディジタル信号ｅｐ、温度に係るディジタル信号ｅｔに基づいて演算を実行し、質量流量信号ｅｑを算出し出力する。
【０００６】
さらに、メモリ８は、演算処理手段７に接続される。また、ディジタル／アナログ（Ｄ／Ａ）コンバータ９は、ディジタル値である質量流量信号ｅｑをアナログ値に変換する。さらに、出力手段１０は、Ｄ／Ａコンバータ９の出力を４−２０ｍＡ等の電流伝送信号Ｉに変換し、伝送線を介して、伝送器の外部の外部負荷１１及び電源１２に供給する。
【０００７】
また、伝送器の外部のサポートツール１３は、出力手段１０（伝送線）に並列に接続する。さらにまた、伝送器の内部の通信インターフェース（Ｉ／Ｆ）１４の入力は出力手段１０に並列に接続し、通信インターフェース１４の出力は演算処理手段７に接続する。
【０００８】
さらに、サポートツール１３は、例えば、パーソナルコンピュータ（ＰＣ）を用いて形成する。また、サポートツール１３は、グラフィカルユーザインターフェース（ＧＵＩ）（図示せず）と流量設定ツール（図示せず）その他とを備える。
【０００９】
このような図４の従来例における、従来のパラメータ設定（Ｃｏｎｆｉｇｕｒａｔｉｏｎ）の手順を説明する。ここでは、流量に係る流量パラメータ設定を説明する。
まず、作業者がユーザデータを形成する場合について説明する。
【００１０】
第１に、サポートツール１３において、作業者はＧＵＩ等を使用して、プライマリエレメント情報、流体情報等から成るユーザデータを入力する。なお、このユーザデータは、人間が理解しやすいデータで形成される。
【００１１】
第２に、サポートツール１３において、流量設定ツールは、ユーザデータから伝送器パラメータを自動計算する。なお、伝送器パラメータは、伝送器に用いる近似係数等から成り、人間が理解しにくいデータで形成される。また、伝送器パラメータは、例えば、伝送器内の（流量）演算を所定のものに設定するパラメータである。
【００１２】
第３に、サポートツール１３から伝送器に、伝送線及び通信インターフェース１４を介して、伝送器パラメータをダウンロードする。
【００１３】
第４に、伝送器からサポートツール１３に、伝送線及び通信インターフェース１４を介して、伝送器パラメータをアップロードする。
【００１４】
次に、作業者がユーザデータを形成しない場合について説明する。このときは、第１に、伝送器からサポートツール１３に、通信インターフェース１４及び伝送線を介して、伝送器パラメータをアップロードする。
【００１５】
そして、第２に、サポートツール１３から伝送器に、伝送線及び通信インターフェース１４を介して、伝送器パラメータをダウンロードする。
【００１６】
このようにして、作業者は、伝送器システムの流量パラメータ設定を実施する。
【００１７】
【特許文献１】特開２００４−８５２８８号公報
【発明の開示】
【発明が解決しようとする課題】
【００１８】
従来の流量パラメータ設定では、アップロードされた伝送器パラメータは、作業者がユーザデータを形成する場合のものであるのか、作業者がユーザデータを形成しない場合のものであるのかの判別が困難であり、作業者の負担が大きいという課題がある。詳しくは、作業者は、ユーザデータの有無を常に記憶しておく必要があった。
【００１９】
また、図４の従来例は、伝送器パラメータからユーザデータを逆生成できないという事情があった。したがって、図４の従来例は、伝送器システムのパラメータ設定状態（Ｃｏｎｆｉｇ状態）の正確な把握が困難という課題があった。
【００２０】
本発明の目的は、以上説明した課題を解決するものであり、作業者の負担が小さく、簡便な伝送器システムを提供することにある。また、本発明の目的は、伝送器パラメータの属性を視覚的に表示し、伝送器システムのＣｏｎｆｉｇ状態の正確な把握が可能となる伝送器システムを提供することにある。
【課題を解決するための手段】
【００２１】
このような目的を達成する本発明は、次の通りである。
（１）物理量を計測し伝送する伝送器と伝送器の外部に接続されたサポートツールとの間で伝送器内の演算に係る伝送器パラメータをアップロード及びダウンロードする伝送器システムにおいて、前記サポートツールは、前記伝送器パラメータの属性を表示するＣｏｎｆｉｇ状態表示器を備えることを特徴とする伝送器システム。
（２）前記サポートツールは、前記伝送器パラメータの設定に係るコマンドの履歴を格納するコマンド状態バッファと、前記コマンド状態バッファの値の変化に基づいて定まるパラメータ設定タイプフラグとを備えることを特徴とする（１）記載の伝送器システム。
（３）前記Ｃｏｎｆｉｇ状態表示器は、前記コマンドと前記流量パラメータ設定タイプフラグとに基づいて点灯／消灯することを特徴とする（２）記載の伝送器システム。
（４）前記Ｃｏｎｆｉｇ状態表示器は、前記伝送器パラメータが前記サポートツールに入力されたユーザデータに基づくものか、或いは、前記伝送器パラメータが前記伝送器からのアップロードに基づくものかを区別して表示することを特徴とする（１）から（３）の何れかに記載の伝送器システム。
（５）前記Ｃｏｎｆｉｇ状態表示器は、前記ユーザデータの設定の完了を表示するユーザデータ表示ウインドウと、前記伝送器パラメータの設定の完了を表示する伝送器パラメータウインドウと、前記ダウンロードの操作の完了を表示するダウンロード状態ウインドウと、前記伝送器の設定の完了を表示する伝送器ウインドウと、前記アップロードの操作の完了を表示するアップロード状態ウインドウとを備えることを特徴とする請求項４記載の伝送器システム。
【発明の効果】
【００２２】
以上説明したことから明らかなように、本発明によれば次のような効果がある。
本発明によれば、作業者の負担が小さく、簡便な伝送器システムを提供できる。また、本発明によれば、伝送器システムのＣｏｎｆｉｇ状態の正確な把握が可能となる伝送器システムを提供できる。
【発明を実施するための最良の形態】
【００２３】
以下に図１に基づいて本発明を詳細に説明する。図１は、本発明のサポートツール１３上に形成する（流量）パラメータ設定状態表示器（Ｃｏｎｆｉｇ状態表示器）１００の一実施例を示す構成図である。また、本発明の伝送器システム全体の構成は図４の従来例と同等となるため、全体の記載及び全体の説明は省略している。
【００２４】
図１の実施例の特徴は、Ｃｏｎｆｉｇ状態表示器１００のウインドウに係る構成にある。
【００２５】
Ｃｏｎｆｉｇ状態表示器１００の構成を説明する。Ｃｏｎｆｉｇ状態表示器１００は、例えば、ユーザデータ表示ウインドウ１１と矢印形ウインドウ１２とから成る表示器１（１１，１２）を備える。そして、表示器１（１１，１２）は、サポートツール１３上のユーザデータのあり／なし等を表示し、点灯する。なお、ユーザデータは、プライマリエレメント情報、流体情報等から成り、人間が理解しやすいデータで形成される。
【００２６】
また、Ｃｏｎｆｉｇ状態表示器１００は、例えば、伝送器パラメータウインドウ２１から成る表示器２（２１）を備える。そして、表示器２（２１）は、サポートツール１３上の伝送器パラメータのあり／なし等を表示し、点灯する。なお、伝送器パラメータは、伝送器に用いる近似係数等から成り、人間が理解しにくいデータで形成される。
【００２７】
さらに、Ｃｏｎｆｉｇ状態表示器１００は、例えば、ダウンロード状態ウインドウ３１、矢印形ウインドウ３２、矢印形ウインドウ３３から成る表示器３（３１，３２，３３）を備える。そして、表示器３（３１，３２，３３）は、サポートツール１３から伝送器に、伝送線及び通信インターフェース１４を介して、伝送器パラメータ等をダウンロードした場合に点灯する。
【００２８】
また、Ｃｏｎｆｉｇ状態表示器１００は、例えば、伝送器ウインドウ４１から成る表示器４（４１）を備える。そして、表示器４（４１）は、伝送器内部に格納された伝送器パラメータのあり／なし等を表示し、点灯する。
【００２９】
さらに、Ｃｏｎｆｉｇ状態表示器１００は、例えば、アップロード状態ウインドウ５１、矢印形ウインドウ５２、矢印形ウインドウ５３から成る表示器５（５１，５２，５３）を備える。そして、表示器５（５１，５２，５３）は、伝送器からサポートツール１３に、伝送線及び通信インターフェース１４を介して、伝送器パラメータ等をアップロードした場合に点灯する。
【００３０】
こうして、表示器１（１１，１２）及び表示器２（２１）は、サポートツール１３内のＣｏｎｆｉｇ状態を表示する。さらに、表示器４（４１）は、伝送器内のＣｏｎｆｉｇ状態を表示する。
【００３１】
また、サポートツール１３は、伝送器パラメータの設定に係るコマンドＮｅｗとコマンドＦｌｏｗＣｏｎｆｉｇとコマンドＤｏｗｎｌｏａｄとコマンドＵｐｌｏａｄとから成るコマンド、即ち、処理プロセスを備える。
【００３２】
さらに、サポートツール１３は、コマンド状態バッファ６１を備える。そして、コマンド状態バッファ６１はコマンドの履歴を格納する。詳しくは、例えば、最新のコマンドと前回のコマンドとを格納する。また、特別な場合として、コマンド状態バッファ６１を表示することで、作業者は、視覚的に作業状態を確認しつつ、コマンドを設定及び実行できる。
【００３３】
また、サポートツール１３は、流量パラメータ設定タイプフラグ（Ｃｏｎｆｉｇタイプフラグ）７１を備える。そして、Ｃｏｎｆｉｇタイプフラグ７１は、伝送器パラメータがサポートツール１３に入力されたユーザデータに基づくもの（Ｃｏｎｆｉｇタイプ１）か、或いは、伝送器パラメータが伝送器からのアップロードに基づくもの（Ｃｏｎｆｉｇタイプ２）かの情報を格納する。さらに、特別な場合として、Ｃｏｎｆｉｇタイプ１またはＣｏｎｆｉｇタイプ２を表示することで、作業者は、視覚的に作業状態を確認しつつ、コマンドを設定及び実行できる。
【００３４】
そして、また、Ｃｏｎｆｉｇタイプフラグ７１は、コマンド状態バッファ６１の値の変化に基づいて定まる。
【００３５】
第１に、前回のコマンドがコマンドＮｅｗのときを説明する。前回のコマンドがコマンドＮｅｗ、かつ、最新のコマンドがコマンドＦｌｏｗＣｏｎｆｉｇのとき、Ｃｏｎｆｉｇタイプフラグ７１は、Ｃｏｎｆｉｇタイプ１の情報を設定し格納する。また、前回のコマンドがコマンドＮｅｗ、かつ、最新のコマンドがコマンドＵｐｌｏａｄのとき、Ｃｏｎｆｉｇタイプフラグ７１は、Ｃｏｎｆｉｇタイプ２の情報を設定し格納する。なお、前回のコマンドがコマンドＮｅｗ、かつ、最新のコマンドがコマンドＤｏｗｎｌｏａｄの操作は禁止する。
【００３６】
第２に、前回のコマンドがコマンドＦｌｏｗＣｏｎｆｉｇのときを説明する。前回のコマンドがコマンドＦｌｏｗＣｏｎｆｉｇ、かつ、最新のコマンドがコマンドＦｌｏｗＣｏｎｆｉｇのとき、Ｃｏｎｆｉｇタイプフラグ７１は、Ｃｏｎｆｉｇタイプ１の情報を設定し格納する。また、前回のコマンドがコマンドＦｌｏｗＣｏｎｆｉｇ、かつ、最新のコマンドがコマンドＵｐｌｏａｄのとき、Ｃｏｎｆｉｇタイプフラグ７１は、Ｃｏｎｆｉｇタイプ２の情報を設定し格納する、そして、ユーザデータを消去（クリア）する。
【００３７】
第３に、前回のコマンドがコマンドＤｏｗｎｌｏａｄのときを説明する。前回のコマンドがコマンドＤｏｗｎｌｏａｄ、かつ、最新のコマンドがコマンドＦｌｏｗＣｏｎｆｉｇのとき、Ｃｏｎｆｉｇタイプフラグ７１は、Ｃｏｎｆｉｇタイプ１の情報を設定し格納する。
【００３８】
第４に、前回のコマンドがコマンドＵｐｌｏａｄのときを説明する。前回のコマンドがコマンドＵｐｌｏａｄ、かつ、最新のコマンドがコマンドＦｌｏｗＣｏｎｆｉｇのとき、Ｃｏｎｆｉｇタイプフラグ７１は、Ｃｏｎｆｉｇタイプ１の情報を設定し格納する。
【００３９】
つまり、最新のコマンドがコマンドＦｌｏｗＣｏｎｆｉｇのとき、Ｃｏｎｆｉｇタイプフラグ７１は、Ｃｏｎｆｉｇタイプ１の情報を設定し格納する。また、最新のコマンドがコマンドＵｐｌｏａｄのとき、Ｃｏｎｆｉｇタイプフラグ７１は、Ｃｏｎｆｉｇタイプ２の情報を設定し格納する。
【００４０】
このような図１の実施例における（流量）パラメータ設定の手順を説明する。まず、伝送器パラメータがサポートツール１３に入力されたユーザデータに基づく（Ｃｏｎｆｉｇタイプ１）場合について詳細に説明する。
【００４１】
第１に、処理プログラムが起動し、コマンドＮｅｗを実行することによって、初期状態となり、表示器１（１１，１２）、表示器２（２１）、表示器３（３１，３２，３３）、表示器４（４１）、表示器５（５１，５２，５３）は全て消灯する。
【００４２】
第２に、コマンドＦｌｏｗＣｏｎｆｉｇを実行することによって、表示器１（１１，１２）と表示器２（２１）とが点灯する。そして、サポートツール１３において、作業者はＧＵＩ等を使用して、プライマリエレメント情報、流体情報等から成るユーザデータを入力する。また、サポートツール１３において、流量設定ツールは、ユーザデータから伝送器パラメータを自動計算する。
【００４３】
第３に、コマンドＤｏｗｎｌｏａｄを実行することによって、表示器３（３１，３２，３３）と表示器４（４１）とが点灯する（図２参照）。そして、サポートツール１３から伝送器に、伝送線及び通信インターフェース１４を介して、伝送器パラメータをダウンロードする。
【００４４】
第４に、コマンドＵｐｌｏａｄを実行することによって、表示器５（５１，５２，５３）が点灯する。そして、伝送器からサポートツール１３に、伝送線及び通信インターフェース１４を介して、伝送器パラメータをアップロードする。
【００４５】
次に、伝送器パラメータが伝送器からのアップロードに基づく（Ｃｏｎｆｉｇタイプ２）場合について説明する。
【００４６】
第１に、処理プログラムが起動し、コマンドＮｅｗを実行することによって、初期状態となり、表示器１（１１，１２）、表示器２（２１）、表示器３（３１，３２，３３）、表示器４（４１）、表示器５（５１，５２，５３）は全て消灯する。
【００４７】
第２に、コマンドＵｐｌｏａｄを実行することによって、表示器４（４１）と表示器５（５１，５２，５３）と表示器２（２１）とが点灯する（図３参照）。そして、伝送器からサポートツール１３に、伝送線及び通信インターフェース１４を介して、伝送器パラメータをアップロードする。
【００４８】
第３に、コマンドＤｏｗｎｌｏａｄを実行することによって、表示器３（３１，３２，３３）が点灯する。そして、サポートツール１３から伝送器に、伝送線及び通信インターフェース１４を介して、伝送器パラメータをダウンロードする。
【００４９】
したがって、コマンドＤｏｗｎｌｏａｄにおいて、Ｃｏｎｆｉｇタイプ１のときには、表示器１（１１，１２）と表示器２（２１）と表示器３（３１，３２，３３）と表示器４（４１）とが点灯するに対し、Ｃｏｎｆｉｇタイプ２のときには、表示器２（２１）と表示器３（３１，３２，３３）と表示器４（４１）と表示器５（５１，５２，５３）とが点灯する。
【００５０】
また、コマンドＵｐｌｏａｄにおいて、Ｃｏｎｆｉｇタイプ１のときには、表示器１（１１，１２）と表示器２（２１）と表示器３（３１，３２，３３）と表示器４（４１）と表示器５（５１，５２，５３）との全てが点灯するに対し、Ｃｏｎｆｉｇタイプ２のときには表示器４（４１）と表示器５（５１，５２，５３）と表示器２（２１）とが点灯する。
【００５１】
図２と図３を用いて、Ｃｏｎｆｉｇ状態表示器１００の点灯の状況を説明する。図２は、Ｃｏｎｆｉｇタイプ１におけるＣｏｎｆｉｇ状態表示器１００の点灯の状況を示す構成図である。同図において、表示器１（１１，１２）と表示器２（２１）と表示器３（３１，３２，３３）と表示器４（４１）とが点灯する。したがって、作業者は、ユーザデータから伝送器パラメータを生成し伝送器にダウンロードしたことが直感的に認識できる。
【００５２】
また、図３は、Ｃｏｎｆｉｇタイプ２におけるＣｏｎｆｉｇ状態表示器１００の点灯の状況を示す構成図である。同図において、表示器４（４１）と表示器５（５１，５２，５３）と表示器２（２１）とが点灯する。したがって、作業者は、伝送器から伝送器パラメータをアップロードしたことが直感的に認識できる。
【００５３】
したがって、Ｃｏｎｆｉｇ状態表示器１００は、伝送器パラメータの属性を表示する。そして、詳細には、Ｃｏｎｆｉｇ状態表示器１００は、Ｃｏｎｆｉｇタイプ１か、或いは、Ｃｏｎｆｉｇタイプ２か、を区別して表示する。
【００５４】
以上のことにより、作業者は、視覚的に作業状態を確認しつつ、コマンドを設定及び実行できる。また、作業者は直感的に作業状態を認識できる。このため、作業者の負担が小さくなる。そして、作業者は効率よく作業できると共に、信頼性の高い作業が可能となる。
【００５５】
そして、本発明は、上述の実施例に限定されることなく、その本質を逸脱しない範囲でさらに多くの変更及び変形を含むものである。
【図面の簡単な説明】
【００５６】
【図１】本発明のサポートツール１３上に形成するＣｏｎｆｉｇ状態表示器１００の一実施例を示す構成図である。
【図２】Ｃｏｎｆｉｇタイプ１におけるＣｏｎｆｉｇ状態表示器１００の点灯の状況を示す構成図である。
【図３】Ｃｏｎｆｉｇタイプ２におけるＣｏｎｆｉｇ状態表示器１００の点灯の状況を示す構成図である。
【図４】一般的な多変数伝送器システムの一実施例を示す構成図である。
【符号の説明】
【００５７】
１１  ユーザデータ表示ウインドウ
２１  伝送器パラメータウインドウ
３１  ダウンロード状態ウインドウ
４１  伝送器ウインドウ
５１  アップロードウインドウ
６１  コマンド状態バッファ
７１  流量パラメータ設定タイプフラグ（Ｃｏｎｆｉｇタイプフラグ）
１２，３２，３３，５２，５３  矢印ウインドウ
１００  流量パラメータ設定状態表示器（Ｃｏｎｆｉｇ状態表示器）
【図１】
2006185077.tif 000003
【図４】
2006185077.tif 000004
【図２】
2006185077.tif 000005
【図３】
2006185077.tif 000006